(57)【要約】      （修正有）【課題】自動巻取機構がカーテンバーによりカーテン布を巻取る際、減速機構により巻取る際の抵抗力を徐々に高め、カーテン布が瞬間的に巻き取られてカーテンが損壊することを防ぐとともに、汎用性に優れたカーテンの減速装置を提供する。【解決手段】ハウジングと、ハウジングと可動可能に接続されてハウジングに一端が延設された減速機構とを備える。ハウジングは、互いに突き合わせる少なくとも２つの蓋体１１を含む。減速機構は、２つの蓋体１１間に可動可能な状態に位置が拘束される。減速機構は、ハウジング内に可動可能に配置されたスリーブ２１と、スリーブ２１内に貫設された軸体２２と、スリーブ２１を介して軸体２２に結合されたねじ軸２３と、軸体２２上に嵌合された弾性部材２４と、軸体２２の端部に嵌合されてハウジングの内縁に当接する位置決め部材２５とを含む。【選択図】図３
0003176886.tif 000002
【実用新案登録請求の範囲】
【請求項１】
ハウジングと、
前記ハウジングと可動可能に接続されて前記ハウジングに一端が延設された減速機構と、
を備えることを特徴とするカーテンの減速装置。
【請求項２】
前記ハウジングは、互いに突き合わせる少なくとも２つの蓋体を含み、
前記減速機構は、前記２つの蓋体間に可動可能な状態に位置が拘束されることを特徴とする請求項１に記載のカーテンの減速装置。
【請求項３】
前記減速機構は、前記ハウジング内に可動可能に配置されたスリーブと、前記スリーブ内に貫設された軸体と、前記スリーブを介して前記軸体に結合されたねじ軸と、前記軸体上に嵌合された弾性部材と、前記軸体の端部に嵌合されて前記ハウジングの内縁に当接する位置決め部材と、を含むことを特徴とする請求項２に記載のカーテンの減速装置。
【請求項４】
前記スリーブは、前記ハウジングから突出される位置決めブロックを一端に有し、管体を他端に有し、
前記管体の内壁面には、前記軸体に対応した案内溝が設けられ、
前記軸体上には、前記案内溝に可動可能に接続されるバンプが設けられていることを特徴とする請求項３に記載のカーテンの減速装置。
【請求項５】
前記軸体は、前記位置決め部材に近づくにつれて小さくなるテーパー状であることを特徴とする請求項４に記載のカーテンの減速装置。
【請求項６】
前記位置決め部材は、切欠きを有することを特徴とする請求項５に記載のカーテンの減速装置。
【考案の詳細な説明】
【技術分野】
【０００１】
本考案は、カーテンの減速装置に関し、特に、その構造の改良に関する。
【背景技術】
【０００２】
従来のカーテン（例えば、ローマンシェード）は、カーテンバーと、昇降ユニットと、カーテンバーの底部に連結したカーテン布と、カーテンバー中に設けられてカーテン布と接続された自動巻取機構と、を含み、カーテン布の巻取りを自動的に行っていた。
【０００３】
ただし、従来の自動巻取機構は、抵抗力がほとんど発生しないため、カーテン布を巻取る際、瞬間的に大きな力が発生し、カーテンに大きな衝撃力が加わって損壊してしまうことがある。そのため、一部のメーカは、従来のカーテンの欠点を改善するために、カーテン布を巻取るときに衝撃が短時間に発生することを防ぐ減速機構を開発した。
【考案の概要】
【考案が解決しようとする課題】
【０００４】
しかし、一般に市販されている様々な減速機構は、自動巻取機構も取付ける必要があるため、もともと減速機構を備えていないカーテンに応用することはできなかった。そのため、瞬間的に巻き取られてしまうという従来技術の欠点をなくすためには、カーテン全体を分解しなければならず、汎用性が悪い上に資源が浪費された。
【０００５】
そのため、カーテンの損壊を防ぐことができる上、汎用性に優れたカーテンの減速装置が求められていた。
【０００６】
本考案の目的は、自動巻取機構のカーテンバーによりカーテン布を巻取る際、カーテン布が瞬間的に巻き取られてカーテンが損壊することを防ぐことができる上、汎用性に優れたカーテンの減速装置を提供することにある。
【課題を解決するための手段】
【０００７】
上記課題を解決するために、本考案の第１の形態によれば、ハウジングと、前記ハウジングと可動可能に接続されて前記ハウジングに一端が延設された減速機構と、を備えることを特徴とするカーテンの減速装置が提供される。
【０００８】
また、前記ハウジングは、互いに突き合わせる少なくとも２つの蓋体を含み、前記減速機構は、前記２つの蓋体間に可動可能な状態に位置が拘束されることが好ましい。
【０００９】
また、前記減速機構は、前記ハウジング内に可動可能に配置されたスリーブと、前記スリーブ内に貫設された軸体と、前記スリーブを介して前記軸体に結合されたねじ軸と、前記軸体上に嵌合された弾性部材と、前記軸体の端部に嵌合されて前記ハウジングの内縁に当接する位置決め部材と、を含むことが好ましい。
【００１０】
また、前記スリーブは、前記ハウジングから突出される位置決めブロックを一端に有し、管体を他端に有し、前記管体の内壁面には、前記軸体に対応した案内溝が設けられ、前記軸体上には、前記案内溝に可動可能に接続されるバンプが設けられていることが好ましい。
【００１１】
また、前記軸体は、前記位置決め部材に近づくにつれて小さくなるテーパー状であることが好ましい。
【００１２】
また、前記位置決め部材は、切欠きを有することが好ましい。
【考案の効果】
【００１３】
本考案のカーテンの減速装置は、ハウジングを利用することにより、自動巻取機構を有するカーテンバーへ結合させ、自動巻取機構がカーテンバーによりカーテン布を巻取る際、減速機構により巻取るときの抵抗力を徐々に高めることにより、カーテン布が瞬間的に巻き取られてカーテンが損壊することを防ぐことができる上、汎用性にも優れている。
【図面の簡単な説明】
【００１４】
【図１】本考案の一実施形態によるカーテンの減速装置を示す斜視図である。
【図２】本考案の一実施形態によるカーテンの減速装置を示す分解斜視図である。
【図３】本考案の一実施形態によるカーテンの減速装置を示す分解斜視図である。
【図４】本考案の一実施形態によるカーテンの減速装置を示す斜視図である。
【図５】本考案の一実施形態による管体及び軸体を示す分解斜視図である。
【図６】本考案の一実施形態によるカーテンの減速装置を使用するときの状態を示す斜視図である。
【考案を実施するための形態】
【００１５】
以下、本考案の実施形態について図に基づいて説明する。なお、これによって本考案が限定されるものではない。
【００１６】
図１〜図６を参照する。図１〜図６に示すように、本考案の一実施形態によるカーテンの減速装置は、少なくともハウジング１及び減速機構２から構成される。
【００１７】
上述のハウジング１は、互いに突き合わせることが可能な少なくとも２つの蓋体１１，１２を含む。
【００１８】
減速機構２は、可動可能に蓋体１１，１２間に位置が拘束され、ハウジング１内に可動可能に配置されたスリーブ２１と、スリーブ２１内に貫設された軸体２２と、スリーブ２１を介して軸体２２に結合されたねじ軸２３と、軸体２２上に嵌合された弾性部材２４と、軸体２２の端部に嵌合されてハウジング１の内縁に当接する位置決め部材２５と、を含む。スリーブ２１は、ハウジング１から突出された位置決めブロック２１１を一端に有し、管体２１２を他端に有する。管体２１２の内壁面には、軸体２２に対応した案内溝２１３が設けられる。軸体２２上には、各案内溝２１３に可動可能に接続されるバンプ２２１が設けられる。軸体２２は、位置決め部材２５に近づくにつれて小さくなるテーパー状である。位置決め部材２５は、切欠き２５１を有する。
【００１９】
本実施形態のカーテンの減速装置は、自動巻取機構３１を備えたカーテン３に取り付けて使用する。ハウジング１をカーテンバー３２の一端へ直接結合させて使用することができるため（自動巻取機構３１は他端に位置する）、汎用性が高い。カーテン布３３を巻取る際、自動巻取機構３１のカーテンバー３２によりカーテン布３３を巻取るとともに、ハウジング１に取り付けた減速機構２によりカーテン布３３を巻取るときの抵抗力を高め、作動時にカーテンバー３２によりハウジング１を回転させ（このとき減速機構２は回転しない）、ハウジング１により位置決め部材２５を駆動させる。この位置決め部材２５は、切欠き２５１を利用してテーパー状の軸体２２上で往復運動を行い、軸体２２により位置決め部材２５が圧迫され、位置決め部材２５の直径が押し広げられると、ハウジング１の内縁と摩擦が発生して抵抗力が生じる。この抵抗力が大きすぎる場合、案内溝２１３内で軸体２２のバンプ２２１が動き、ねじ軸２３を回転させて軸体２２を駆動させ、軸体２２が位置決め部材２５に加える圧迫力を低減させることができる。このように、減速機構２により巻取るときの抵抗力を高め、カーテン布３３が瞬間的に上方へ巻き取られてカーテン３が損壊することを防ぐことができる。
【００２０】
上述したことから分かるように、本考案のカーテンの減速装置は、ハウジングを利用することにより、自動巻取機構を有するカーテンバーへ結合させ、自動巻取機構のカーテンバーによりカーテン布を巻取る際、減速機構により巻取るときの抵抗力を徐々に高めることにより、カーテン布が瞬間的に巻き取られてカーテンが損壊することを防ぐことができる上、優れた汎用性を得ることもできる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ハウジング、２  減速機構、３  カーテン、１１  蓋体、１２  蓋体、２１  スリーブ、２２  軸体、２３  ねじ軸、２４  弾性部材、２５  位置決め部材、３１  自動巻取機構、３２  カーテンバー、３３  カーテン布、２１１  位置決めブロック、２１２  管体、２１３  案内溝、２２１  バンプ、２５１  切欠き。
【図１】
0003176886.tif 000003
【図２】
0003176886.tif 000004
【図３】
0003176886.tif 000005
【図４】
0003176886.tif 000006
【図５】
0003176886.tif 000007
【図６】
0003176886.tif 000008
【手続補正書】
【提出日】平成24年5月14日(2012.5.14)
【手続補正１】
【補正対象書類名】実用新案登録請求の範囲
【補正対象項目名】全文
【補正方法】変更
【補正の内容】
【実用新案登録請求の範囲】
【請求項１】
カーテンのカーテンバーの一端に結合されて使用されるハウジングと、
前記ハウジングと可動可能に接続されて前記ハウジング及び前記カーテンバーに一端が延設された減速機構と、
前記ハウジングは、互いに突き合わせる少なくとも２つの蓋体を含み、
前記減速機構は、前記２つの蓋体間に可動可能な状態に位置が拘束され、
前記減速機構は、前記ハウジング内に可動可能に配置されたスリーブと、前記スリーブ内に貫設された軸体と、前記スリーブを介して前記軸体に結合されたねじ軸と、前記軸体上に嵌合された弾性部材と、前記軸体の端部に嵌合されて前記ハウジングの内縁に当接する位置決め部材と、を含み、
前記スリーブは、前記ハウジング及び前記カーテンバーから突出される位置決めブロックを一端に有し、管体を他端に有し、
前記管体の内壁面には、前記軸体に対応した案内溝が設けられ、
前記軸体上には、前記案内溝に可動可能に接続されるバンプが設けられており、
前記軸体は、前記位置決め部材に近づくにつれて小さくなるテーパー状であり、
前記位置決め部材は、切欠きを有することを特徴とするカーテンの減速装置。